(57)【要約】【課題】  自動包装を可能にする通気性包装袋及び当該包装袋に対応する包装機の開口装置を提供すること。【解決手段】  （イ）通気性を有するシート素材を重ね合わせて袋口２又は袋口２と底部４を除く周縁部を適宜接合して扁平な袋形態に構成された包装袋１であって、袋口１の接合予定範囲内の対向する平面部１ａ，１ｂに、包装機の開口用押し棒２９，３８が挿入可能な小穴５，６を互い違いに適宜間隔をおいて穿設した。（ロ）上記包装袋を用いる包装機の開口装置２０であって、グリップ対ｇによって吊り下げ状に支持される包装袋１の小穴５，６に対して開口用押し棒２９，３８を夫々挿入自在に設け、各小穴に挿入された開口用押し棒２９，３８を所定位置まで前進移動させることにより当該包装袋１の袋口２が開口されるように構成した。【選択図】  図２
2005193963.tif 000002
【特許請求の範囲】
【請求項１】
通気性を有するシート素材を重ね合わせて袋口又は袋口と底部を除く周縁部を適宜接合して扁平な袋形態に構成された包装袋であって、
前記袋口の接合予定範囲内の対向する平面部に、包装機の開口用押し棒が挿入可能な小穴を互い違いに適宜間隔をおいて穿設したことを特徴とする包装袋。
【請求項２】
前記シート素材が、通気性を有する不織布又は紙であることを特徴とする請求項１に記載の包装袋。
【請求項３】
通気性を有する包装袋を用いる包装機の開口装置であって、
前記包装袋については、通気性を有するシート素材を重ね合わせて袋口又は袋口と底部を除く周縁部を適宜接合して扁平な袋形態に設けられていて、該袋口の接合予定範囲内の対向する平面部に、開口用押し棒が挿入可能な小穴を互い違いに適宜間隔をおいて穿設してなり、
グリップ対によって吊り下げ状に支持される包装袋の小穴に対して前記開口用押し棒を夫々挿入自在に設け、各小穴に挿入された該開口用押し棒を所定位置まで前進移動させることにより当該包装袋の袋口が開口されるように構成したことを特徴とする包装機の開口装置。
【請求項４】
前記シート素材が、通気性を有する不織布又は紙であることを特徴とする請求項３に記載の包装機の開口装置。
【発明の詳細な説明】
【技術分野】
【０００１】
本発明は、包装機に使用される通気性を有する包装袋及び包装機の開口装置に関するものである。
【背景技術】
【０００２】
緑茶、麦茶パック等には不織布等の通気性を有する小形の包装袋が使用されており、これらの包装袋については縦形ピロー包装機による自動包装が行なわれている。他方、ダシパック等の通気性を有する大形の包装袋については、通常の縦形ピロー包装機の適用範囲を超えてしまうことから、主として人手による包装が行なわれている。大形の包装袋について縦形ピロー包装機により包装を行うことはできるところ、袋サイズが異なるごとに専用の成形器を用意しなければならいために製造コストが高くつくという問題がある。
【０００３】
また、通気性を有する大形の包装袋についてロータリー式包装機により包装を行うとすれば、従来の開口装置に設けられた吸盤により袋口を両側から吸着して開口しょうとしても確実に吸着することができないため、当該開口装置を備えた包装機による自動包装は困難とされていた。
【０００４】
なお、特開２００２−１２８０２５号には、袋口を開口するための吸盤と、その吸盤によって開口される袋内に空気を吹き込むノズルとを備えた開口装置が開示されている。
【０００５】
特開平７−５２９６０号公報には、表面の開口部側に樹脂フィルムを配置して開口部を強化し、エアーによる袋の開口を容易にした不織布を使用した包装袋が開示されている。この包装袋は、野菜、果物等の通気性を必要とする商品の包装に適するものとされ、接着剤や接着テープを用いて封止する構成とされている。しかし、この包装袋は、全体を通気性を有するシート素材により形成したものではなく、ダシパック等の煮だし用に適する構造とされていない。
【特許文献１】特開２００２−１２８０２５号公報
【特許文献２】特開平７−５２９６０号公報
【発明の開示】
【発明が解決しようとする課題】
【０００６】
本発明の目的は、自動包装を可能にする通気性包装袋及び当該包装袋に対応する包装機の開口装置を提供することにある。
【課題を解決するための手段】
【０００７】
前記目的を達成するために請求項１に記載した発明は、通気性を有するシート素材を重ね合わせて袋口又は袋口と底部を除く周縁部を適宜接合して扁平な袋形態に構成された包装袋であって、前記袋口の接合予定範囲内の対向する平面部に、包装機の開口用押し棒が挿入可能な小穴を互い違いに適宜間隔をおいて穿設したことを特徴とする。
【０００８】
同様の目的を達成するために請求項２に記載した発明は、請求項１に記載の包装袋において、前記シート素材が、通気性を有する不織布又は紙であることを特徴とするものである。
【０００９】
同様の目的を達成するために請求項３に記載した発明は、通気性を有する包装袋を用いる包装機の開口装置であって、前記包装袋については、通気性を有するシート素材を重ね合わせて袋口又は袋口と底部を除く周縁部を適宜接合して扁平な袋形態に設けられていて、該袋口の接合予定範囲内の対向する平面部に、開口用押し棒が挿入可能な小穴を互い違いに適宜間隔をおいて穿設してなり、グリップ対によって吊り下げ状に支持される包装袋の小穴に対して前記開口用押し棒を挿入自在に設け、各小穴に挿入された開口用押し棒を所定位置まで前進移動させることにより当該包装袋の袋口が開口されるように構成したことを特徴とする。
【００１０】
同様の目的を達成するために請求項４に記載した発明は、請求項３に記載の包装機の開口装置において、前記シート素材が、通気性を有する不織布又は紙であることを特徴とするものである。
【発明の効果】
【００１１】
（請求項１の発明）
この包装袋は、通気性を有するシート素材を使用しているところ、包装機の開口装置による袋口の開口作業を安定して行なうことが可能であり、包装作業の自動化に寄与する。
【００１２】
（請求項２の発明）
この包装袋は、通気性を有する不織布又は紙のシート素材を使用しているので浸透性がよく、ダシパック等の煮だし用に好適である。
【００１３】
（請求項３の発明）
この包装機の開口装置は、通気性を有するシート素材を使用した包装袋の開口作業を確実に安定して行なうことができ、包装作業の自動化、生産性の向上を図ることができる。
【００１４】
（請求項４の発明）
この包装機の開口装置は、ダシパック等の煮だし用に好適な不織布又は紙のシート素材を使用した包装袋の袋口の開口作業を確実に安定して行なうことができる。
【発明を実施するための最良の形態】
【００１５】
以下に、本発明の最良の形態例を図面に基づいて説明する。図１は包装袋の正面図、図２は包装機の開口装置による包装袋の開口動作を示す説明図である。
【００１６】
請求項１の発明にかかる包装袋１を図１に示す。この包装袋１は、不織布又は紙等の通気性を有するシート素材を重ね合わせて袋口２を除く左右の縦縁３，３と底部４の周縁部をヒートシールにより接合することにより、扁平な矩形状の袋形態に設けられている。
【００１７】
上記包装袋は、シート素材を二つ折りにして重ね合わせた袋形態とすることもできるが、この場合には、二つ折り部分の底縁にヒートシールを施さなくともよい。
【００１８】
上記袋口２の接合予定範囲（図中、二点鎖線にて囲まれる範囲）内の対向する平面部１ａ，１ｂの中央には、後記開口装置２０の開口用押し棒２９，３８の先端部２９ａ，３８ａが挿入可能な大きさの小穴５，６が互い違いに適宜間隔をおいて穿設されている。
【００１９】
図２には、請求項２の発明にかかる包装機の開口装置２０を示す。この開口装置２０は、給袋工程にて給袋装置からグリップ対（図示せず）に送り込まれて当該グリップ対によって吊り下げ状に支持される包装袋１の袋口２を開口するものである。２１は図示しない包装機の機台に立設される中空状支柱であり、その支柱１の上端部には、一対の平行な横軸２３，２４が固定されたブラケット２２を取り付けている。一方の横軸２３には二又形レバー２５とロングレバー３０を、他方の横軸２４にはショートレバー２７とレバー３１を順に装着し、両軸端部にステー３２を介してナット３３、ナット３４を夫々螺着している。その二又形レバー２５の下向きアーム２５ａに一体に設けられたアーム２５ｂと、レバー３１の上端部３１ａとはピン３５により連結されている。
【００２０】
一組の二又形レバー２５とショートレバー２７の下端部には、リンク部材２８が取り付けられていて、そのリンク部材２８の前端部にほぼＵ字形の押し棒２９を水平方向に突出するように設けている。同様に、他方の一組のロングレバー３０とレバー３１の下端部には、リンク部材３７を取り付け、そのリンク部材３７の前端部にほぼＬ字形の押し棒３８を水平方向に突出するように設けている。それら押し棒２９の先端部２９ａと押し棒３８の先端部３８ａとは、平行に配置されており、それらの間隔については、前記包装袋１の小穴５，６の間隔に対応するように設けられている。
【００２１】
４１は包装機の駆動制御部により回転を制御される円板カム４０により揺動運動を行なうカムレバーである。このカムレバー４１は前記機台の下方に設けられる回転軸４２に固定され、一方のアーム４１ａに取り付けられたカムフォロア４３を円板カム４０の外周面４０ａに当接させている。そのカムフォロア４３は、他方のアーム４１ｂに一端を取り付けられた引きバネ４４によって外周面４０ａから浮上がらないように設けられている。
【００２２】
他方のアーム４１ｂには、前記支柱１を通るロッド４５の一端部４５ａが連結されている。そして、そのロッド４５の他端部４５ｂには、ボルト部材４６を介して二又形レバー２５の横向きアーム２５ｃが連結されている。
【００２３】
しかして、円板カム４０の回転作動によりカムレバー４１を揺動してロッド４５を上方向又は下方向に移動させ、二又形レバー２５とレバー３１とを連動させることにより、押し棒２９の先端部２９ａと押し棒３８の先端部３８ａとを互いに反対方向へ進退自在とした包装機の開口装置２０が構成される。
【００２４】
この開口装置２０が適用される包装機としては、公知のロータリー式包装機である。この種の包装機は、多数のグリップ対を放射方向に設けた回転体を間欠駆動手段により複数のステーション毎に間欠停止して移動させ、各グリップ対により袋口を上にして吊り下げ状に支持される包装袋に充填ステーションにて被包装物を充填し、トップシールステーションにて袋口のヒートシールを施してから包装袋を排出するように構成されている。
【００２５】
つぎに、かかる構成になる包装機の開口装置２０の作動について説明する。
円板カム４０は包装機の駆動制御部により回転を制御されており、当該円板カム４０の回転作動によりカムレバー４１を介してロッド４５が上方向に移動し、二又形レバー２５とレバー３１とを内方へ移動させる。これにより、押し棒２９の先端部２９ａと押し棒３８の先端部３８ａとが、グリップ対ｇによって吊り下げ状に支持された包装袋１の小穴５，６に夫々挿入され、さらに、所定位置まで前進移動することにより袋口２を開口させる。
【００２６】
なお、グリップ対ｇの対応間隔については、袋口の開口動作に同期して互いに内方に移動させて間隔を縮めるように制御される。
【００２７】
円板カム４０は、袋口２の開口が施されてからもさらに回転作動を続けるので、ロッド４５が下方向に移動し、二又形レバー２５とレバー３１とが外方へ移動する。これにより、押し棒２９の先端部２９ａと押し棒３８の先端部３８ａとは、包装袋１の小穴５，６から夫々脱出して元位置に復帰する。
しかして、この包装機の開口装置２０においては、開口工程に間欠停止する包装袋の一枚毎にかかる一連の開口動作を繰り返し行なうことになる。
【００２８】
以上に述べた通り、請求項１の発明の包装袋は、通気性を有するシート素材を使用しているところ、包装機の開口装置による袋口の開口作業を安定して行なうことができる。また、請求項２の発明である包装機の開口装置は、通気性を有するシート素材を使用した包装袋の開口作業を確実に安定して行なうことができる利点がある。
【図面の簡単な説明】
【００２９】
【図１】包装袋の正面図
【図２】包装機の開口装置による包装袋の開口動作を示す説明図
【符号の説明】
【００３０】
１・・・包装袋
１ａ，１ｂ・・・平面部
２・・・袋口
５，６・・・小穴
２０・・・開口装置
２１・・・支柱
２９，３８・・・開口用押し棒
２９ａ，３８ａ・・・先端部
４０・・・円板カム
４１・・・カムレバー
４５・・・ロッド
【図１】
2005193963.tif 000003
【図２】
2005193963.tif 000004